(57)【要約】【課題】正面からの日差しを必要に応じ任意に遮断できると共に、風よけや埃よけなどとして昼間に限らず夕方や夜でも使用を可能にする多機能なひさし付帽子であり、しかも簡易且つ安価に製造できる。【解決手段】ひさしを有するキャップ及びサンバイザーであって、上記ひさしの裏面に対し凡そ同形状の大きさで紫外線を遮る加工の施された透明又は半透明の合成樹脂材からなる中側ひさし及び無色透明の合成樹脂材からなる下側ひさしを順に重ね合せ、これら中側ひさし及び下側ひさしの夫々れを上部ひさしの左右箇所に対し、脱着自在な止め具を使用して下向きの半円弧回動自在に止着させた。【選択図】図５
0003129059.tif 000002
【実用新案登録請求の範囲】
【請求項１】
ひさしを有するキャップ及びサンバイザーであって、上記ひさしの裏面に対し凡そ同形状の大きさで紫外線を遮る加工の施された透明又は半透明の合成樹脂材からなる中側ひさし及び無色透明の合成樹脂材からなる下側ひさしを順に重ね合せ、これら中側ひさし及び下側ひさしの夫々れを上部ひさしの左右箇所に対し、脱着自在な止め具を使用して下向きの半円弧回動自在に止着させたことを特徴とするひさし付帽子。
【請求項２】
上記中側ひさし及び下側ひさしの夫々に上記回動操作を可能にする摘みが突出させてあることを特徴とする請求項１記載のひさし付帽子。
【考案の詳細な説明】
【技術分野】
【０００１】
本考案は、正面からの日差し、風或いは埃を遮断するひさし付帽子に関する。
【背景技術】
【０００２】
特許文献１にはひさしが支持バンドに回動自在に取付けられており、太陽光線の照射角度に合わせて、ひさしを左右上下にかえることができ、正面からの日差しを遮断できるサンバイザーが示されている。しかし、特許文献１に示されたものは、構造が複雑であるため、簡単に製造することができない。また高価にならざるを得ない。
さらに、これによれば、正面からの日差しを遮断するだけでなく、風よけや、埃が目に入らないようにする効果も有する。しかし、ひさしを色つきのものとすると、夕暮れ時や夜に於いて、風よけや埃よけとして使用するには見通しの悪いものとなる。
【特許文献１】登録実用新案第３０８０７６４号公報
【考案の開示】
【考案が解決しようとする課題】
【０００３】
本考案は、かかる問題点を解決するものであって、正面からの日差しを必要に応じ任意に遮断できると共に、風よけ或いは埃よけとして使用する場合に昼と夜とで使い分けできるひさし付帽子であって、簡易且つ安価に製造できるものを市販に提供しようとするものである。
【課題を解決するための手段】
【０００４】
本考案に係るひさし付帽子は、ひさしを有するキャップ及びサンバイザーであって、上記ひさしの裏面に対し凡そ同形状の大きさで紫外線を遮る加工の施された透明又は半透明の合成樹脂材からなる中側ひさし及び無色透明の合成樹脂材からなる下側ひさしを順に重ね合せ、これら中側ひさし及び下側ひさしの夫々れを上部ひさしの左右箇所に対し、脱着自在な止め具を使用して下向きの半円弧回動自在に止着させたことを特徴とする。また、上記中側ひさし及び下側ひさしの夫々に上記回動操作を可能にする摘みを突出させたものにする。
【考案の効果】
【０００５】
本考案は以上の通り構成するものであって、ひさしの内側に上下に回動する中側ひさし及び下側ひさしを脱着自在な止め具により取付けたことにより、使用態様の異なる二枚のひさしを簡便に製作し、且つ使用するさいは目的に応じ夫々れ区分けして行うことができるものとなる。即ち、無色透明の下側ひさしを単に下降させた場合に於いては、専ら夕暮れ時から夜に於いて風よけ又は埃よけとして使用するのであり、これに対し中側ひさしを共に下降させた場合にはこれが紫外線を遮る加工が施されたものとなっているため、昼間などの正面からの太陽光線を遮断したり、また風よけや埃よけとして使用できるのである。また、止め具を脱着可能なものとしたことは、中側ひさし及び下側ひさしを取り外して、本体を洗濯して、常に清潔に保つことができるのであり、しかも中側ひさし或いは下側ひさしを違う色のものや新しいものに交換することもできるのである。さらに、摘みを設けたものでは、中側ひさし又は下側ひさしを下降させる際に、これを指に挟んで簡単に行うことができるものとなる。
【考案を実施するための最良の形態】
【０００６】
以下、図面に示す実施の形態について説明する。 
図１は本考案に係るひさし付帽子の斜視図、図２は底面図、図３は止め具部分の断面図である。本考案に係るひさし付帽子１は、ひさし３を有するキャップやサンバイザーの本体２と、中側ひさし４、下側ひさし５及び止め具６からなる。本図示例では、サンバイザーが示してある。
【０００７】
本考案に於いては、ひさし３の裏面に対し、中側ひさし４及び下側ひさし５を順に重ね合わせた三重構造にするのである。而して、中側ひさし４は紫外線を遮る加工の施された色つきの透明又は半透明の合成樹脂材となし、これに対し下側ひさし５は無色透明の合成樹脂にする。ここで上記中側ひさし４及び下側ひさし５は上部のひさし３と凡そ同形状の大きさであるが、その取り付けにはひさし３の根元側からの長さ寸法Ｌが５ｃｍ〜１０ｃｍ短くなる前方箇所に対し止め具６を使用し、図３に示す如く上下間で挟み付けることにより回動自在に取付けるのである。
【０００８】
図４は上記中側ひさし４及び下側ひさし５を共に顔面の前方へ下降させる状態を示すものであり、この回動は止め具６を支点にして簡単に移動させることができる。而して、この状態では正面からの太陽光線或いは風や埃を完全に遮断することができるものとなる。なお、不必要時に於いては、上記中側ひさし４及び下側ひさし５はひさし３の裏面に対して一体化の重ね状態にするのである。
【０００９】
図５は上記中側ひさし４及び下側ひさし５を顔面の前方へ下降させる状態を下方から見た斜視図であり、該下降操作では図５（ａ）に示す如く、下側ひさし５のみを下降させる場合と、図５（ｂ）に示す如く、中側ひさし及び下側ひさしを下降させる場合とで使い分けをすることができる。即ち前者の無色透明の下側ひさし５を単に下降させた場合には、専ら夕暮れ時から夜などに風よけや埃よけなどとして使用するのであり、これに対して後者では紫外線を遮る加工が施された色つきの透明又は半透明の中側ひさし４が昼間などに於いて正面から受ける太陽光線を効果的に遮断するのであり、風よけや埃よけとしての作用効果も奏する。
【００１０】
図２に示す４ａ及び５ａは上記中側ひさし４及び下側ひさし５を下降させる回動操作を可能にする摘みであって、中側ひさし４及び下側ひさし５の前方の一部を突出させ、摘み４ａ及び摘み５ａの位置を重ならない状態にずらして設けてある。これにより、摘み５ａを摘むと下側ひさし５のみを簡単に下降させることができ、他方摘み４ａを摘むと中側ひさし４及び下側ひさし５を共に下降させることができる。
【００１１】
なお、図２に示す如く、中側ひさし４及び下側ひさし５はほぼ同形状であるが、とりわけ下側ひさし５の側部５ｂを、中側ひさし４の側部４ｂより巾寸法ｔが５ｍｍ〜２０ｍｍ分小さくするようにしておく。このようにすると下側ひさし５を単独に下降させるさい中側ひさしとの摩擦接触を少なくしてスムーズに行われるものとなる。
【００１２】
図３に示す止め具６は中側ひさし４と下側ひさし５を適宜取変え可能にする上に便利なものである。即ち止め具６を雄体６ａと雌体６ｂとで構成し、雄体６ａの係止突起ｐから雌体６ｂを取り外すことにより、中側ひさし４及び下側ひさし５を容易に外れるものとなる。これにより本体２の洗濯は勿論のこと、中側ひさし４或いは下側ひさし５などを違う色のものや新しいものに交換することが容易に行えるものとなる。
【００１３】
本考案品の使用では軽量でしかも見た目では普通のサンバイザーと何ら変わりないのであり、だれも違和感なく使用を可能にできるものとなる。なお、止め具６はワンポイントの意匠効果を呈するものとなっている。上記図示例に於いては、サンバイザーを示したが、ひさしを有するキャップに於いても同様であって本考案の実施の範囲内とするものである。
【図面の簡単な説明】
【００１４】
【図１】本考案に係るひさし付帽子の斜視図である。
【図２】底面図である。
【図３】止め具部分の断面図である。
【図４】下側ひさしを顔面の前方へ下降させる状態の説明図である。
【図５】下側ひさしを顔面の前方へ下降させる状態を下方から見た斜視図である。
【符号の説明】
【００１５】
１    ひさし付帽子
２    本体
３    ひさし
４    中側ひさし
５    下側ひさし
６    止め具
【図１】
0003129059.tif 000003
【図２】
0003129059.tif 000004
【図３】
0003129059.tif 000005
【図４】
0003129059.tif 000006
【図５】
0003129059.tif 000007